(57)【要約】  方法は、頭皮などの皮膚の湿分含量の測定を提供する。より具体的には、本発明は、（ａ）皮膚湿分含量を測定する手段を提供する工程、（ｂ）皮膚湿分含量を測定する該手段を使用して、皮膚の少なくとも１つの測定湿分含量値を得る工程、（ｃ）該測定湿分含量値を該皮膚の皮膚湿分値に相関させる工程、及び（ｄ）該皮膚湿分値を使用して、該皮膚の健康状態を評価する工程、を含む方法を対象とする。
2009508543.tif 000002
【特許請求の範囲】
【請求項１】
皮膚の湿分含量を測定する方法であって、
ａ）皮膚湿分含量を測定する手段を提供する工程、
ｂ）皮膚湿分含量を測定する該手段を使用して、該皮膚の少なくとも１つの測定湿分含量値を得る工程、
ｃ）該測定湿分含量値を該皮膚の皮膚湿分値に相関させる工程、及び
ｄ）該皮膚湿分値を使用して、該皮膚の健康状態を評価する工程、
を含む測定方法。
【請求項２】
皮膚湿分含量を測定する前記手段が、高周波、赤外線、核磁気共鳴、機械的振動、皮膚の変形、イオン導入、光学、摩擦、表面トポロジー、及び熱放散から成る群から選択されたデバイスである、請求項１に記載の方法。
【請求項３】
前記皮膚湿分値を使用して、少なくとも１つの適切な皮膚処置を選択する工程を更に含む、請求項１に記載の方法。
【請求項４】
前記適切な皮膚処置が、化学組成物及び非化学的処置から成る群から選択される、請求項３に記載の方法。
【請求項５】
前記化学組成物が、ローション、クリーム、ゲル、トニック、アフターシェーブ、スティック、スプレー、軟膏、ペースト、粉末、ムース、シャンプー、コンディショナー、オイル、着色剤、並びに生物医学的及び皮膚科学的処置剤から成る群から選択される、請求項４に記載の方法。
【請求項６】
前記非化学的処置が、剃毛及び脱毛から成る群から選択される、請求項４に記載の方法。
【請求項７】
消費者の頭皮健康を測定する方法であって、
ａ）頭皮湿分含量を測定するデバイスを提供する工程、
ｂ）該デバイスを使用して、該頭皮の少なくとも１つの測定湿分含量値を得る工程、
ｃ）該測定湿分含量値を該頭皮の頭皮湿分値に相関させる工程、及び
ｄ）該頭皮湿分値を使用して、該頭皮の健康状態を評価する工程、
を含む測定方法。
【請求項８】
前記デバイスが高周波（radion frequency）デバイスである、請求項７に記載の方法。
【請求項９】
前記湿分含量値が０ＭＨｚから５ＭＨｚの周波数を有し、好ましくは、前記湿分含量値が１．５ＭＨｚから２．５ＭＨｚの周波数を有する、請求項８に記載の方法。
【請求項１０】
頭皮に処置を施す方法であって、
ａ）請求項７の方法に従って該頭皮の湿分含量を測定する工程、
ｂ）該頭皮湿分値を使用して、少なくとも１つの適切な頭皮処置剤を選択する工程、及び
ｃ）該適切な頭皮処置剤を該頭皮に適用する工程、
を含む測定方法。
【請求項１１】
前記適切な頭皮処置剤が、シャンプー、コンディショナー、着色剤、オイル、及びスタイリング組成物から成る群から選択される、請求項１０に記載の方法。
【請求項１２】
頭皮上のふけ状態を測定する方法であって、
ａ）頭皮湿分含量を測定する手段を提供する工程、
ｂ）頭皮湿分含量を測定する該手段を使用して、消費者の頭部から少なくとも１つの測定湿分含量値を得る工程、
ｃ）該測定湿分含量値を該消費者のふけ状態指示値に相関させる工程、及び
ｄ）該ふけ状態指示値を使用して、該消費者の頭皮上のふけの程度を評価する工程
を含む測定方法。
【請求項１３】
頭皮湿分含量を測定する前記手段が、高周波、赤外線、核磁気共鳴、機械的振動、皮膚の変形、イオン導入、光学、摩擦、表面トポロジー、及び熱放散から成る群から選択されたデバイスである、請求項１２に記載の方法。
【請求項１４】
前記ふけ状態指示値を使用して、少なくとも１つの適切な頭皮処置剤を選択する工程を更に含む、請求項１２に記載の方法。
【請求項１５】
前記頭皮処置剤が、シャンプー、コンディショナー、オイル、着色剤、並びに生物医学的及び皮膚科学的処置剤から成る群から選択される、請求項１４に記載の方法。
【発明の詳細な説明】
【技術分野】
【０００１】
本発明は、一般に、皮膚の湿分含量を測定する方法に関する。本発明はまた、頭皮の湿分含量を測定する方法、並びに頭皮に処置を施す方法に関する。本発明の別の態様は、消費者の頭皮上のふけ状態を測定する方法に関する。
【背景技術】
【０００２】
皮膚は、多数の外因性因子及び内因性因子による損傷を受けやすい。外因性因子としては、紫外線（例えば、日光を浴びることによる）、環境汚染、風、熱又は赤外線（ＩＲ）、低湿度、刺激の強い界面活性剤、研磨剤などが挙げられる。内因性因子としては、経年的老化、及び他の皮膚内部からの生化学的変化が挙げられる。これらの因子は、外因性であれ内因性であれ、皺や他の形態の粗さ（増大した孔径、フレーク化、及び皮膚の小皺を包含する）などの皮膚の老化及び環境的損傷の目に見える徴候、並びに皮膚の老化又は皮膚の損傷に関連した他の組織構造の変化を生じさせる。それに加えて、角質層の水分含量は、皮膚の見た目、柔軟性、質感、及び乾燥度に対して、更には皮膚内部への、また皮膚を通る薬剤及び他の分子の吸収度に対して甚大な影響を有する。角質層は、表皮の最も外側の層であり、皮膚の表面を含む。
【０００３】
皮膚に処置を施す方法は、一般に、様々な適切な処置の少なくとも１つを適用することを伴う。そのような処置は、皮膚又は頭皮に特定の所望の物理的又は美容的特性を提供する、或いはそれらの特性を回復するように選択されてもよい。しかしながら、適切な処置が選択されなければ、所望の物理的又は美容的特性が得られないことがある。
【０００４】
頭皮などの皮膚に処置を施す場合、処置剤は、一般に、シャンプー、コンディショナー、着色剤、スタイリング組成物などを包含する。これらの頭皮処置剤のメーカーは、１つのタイプ又は銘柄の頭皮処置剤の複数の種類を提供することがあり、その際、複数の種類はそれぞれ、特定の消費者区分に特徴的であり、且つ個々の消費者区分の間で一般に見出される頭皮の物理的又は美容的差異に基づいていてもよい、必要性又は要求を対象とするように特別に設計される。例えば、単一の銘柄のシャンプーは、両方ともふけに関連する状態である、フレークを処置するように設計された第１の種類と乾燥を処置するように設計された第２の種類とを提供してもよい。
【発明の開示】
【発明が解決しようとする課題】
【０００５】
しかしながら、消費者が頭皮ケア銘柄の複数の種類の中から頭皮処置剤を選択するという課題に直面したとき、消費者は、消費者が求める特性を提供するように設計されていない種類を知らずに選択してしまうことがある。そのような場合、消費者は、頭皮ケア銘柄の選択した種類による結果に不満を持つことがある。消費者が不満を持った結果として、同じ頭皮ケア銘柄の別の種類が、消費者が求める頭皮及び／又は毛髪の特性を提供し得る場合であっても、消費者はそれ以降、その頭皮ケア銘柄のいずれの種類も選択しようとしないことがある。そのような状況が生じると、結果として、メーカーにとって特定の頭皮ケア銘柄の売上が不必要に減少することに結び付き得る。
【０００６】
これまで、湿分含量を測定する方法が、皮膚又は毛髪の湿分レベルを判断するために開発されており、それらの方法は、電気抵抗及び静電容量を測定して所望の指標を得ることを包含する様々な技術に依存してきた。
【課題を解決するための手段】
【０００７】
一実施形態では、本発明は、皮膚の湿分含量を測定する方法を対象とする。この方法は、（ａ）皮膚湿分含量を測定する手段を提供する工程、（ｂ）皮膚湿分含量を測定する該手段を使用して、該皮膚の少なくとも１つの測定湿分含量値を得る工程、（ｃ）該測定湿分含量値を該皮膚の皮膚湿分値に相関させる工程、及び（ｄ）該皮膚湿分値を使用して、該皮膚の健康状態を評価する工程、を含む。
【０００８】
別の実施形態では、本発明は、消費者の頭皮の健康を測定する方法を対象とする。この方法は、（ａ）頭皮湿分含量を測定するデバイスを提供する工程、（ｂ）該デバイスを使用して、該頭皮の少なくとも１つの測定湿分含量値を得る工程、（ｃ）該測定湿分含量値を該頭皮の頭皮湿分値に相関させる工程、及び（ｄ）該頭皮湿分値を使用して、該頭皮の健康状態を評価する工程、を含む。
【０００９】
更に別の実施形態では、本発明は、頭皮上のふけ状態を測定する方法を対象とする。この方法は、（ａ）頭皮湿分含量を測定する手段を提供する工程、（ｂ）該頭皮湿分含量を測定する湿分計、（ｂ）該頭皮湿分含量を測定する手段を使用して、消費者の頭部から少なくとも１つの測定湿分含量値を得る工程、（ｃ）該測定湿分含量値を消費者のふけ状態指示値に相関させる工程、及び（ｄ）該ふけ状態指示値を使用して、消費者の頭皮の健康状態を評価する工程、を含む。本発明のこれら及び他の特徴、態様、及び利点は、本開示を読むことにより、当業者には明らかになるであろう。
【発明を実施するための最良の形態】
【００１０】
本明細書で使用する時、用語「皮膚」は、例えば、顔、首、胸、背中、腕、手、脚、及び頭皮の外被を包含する、哺乳類の身体の外被を形成する膜状組織を指す。
本明細書で使用する時、「湿分含量」は、皮膚中に存在する水分を指す。
【００１１】
本発明によれば、皮膚の湿分含量を測定する方法、及び皮膚に処置を施す方法が記載される。頭皮を包含する皮膚中の湿分含量の決定は、皮膚の様々な物理的及び美容的特性を定量化するために使用される。例えば、湿分含量が低い頭皮は不健康であり、フレーク、乾燥、引きつれ、かゆみ、及び／又は発赤／炎症を包含するふけの徴候を示すことがある。皮膚の水和は、身体内から環境への連続的な湿分の流動をもたらすその正常な生物活性に応じて変わる。皮膚のバリア機能を改善することにより、皮膚の水和がより多くなり、湿分の損失がより少なくなる。その結果、皮膚の物理的及び美容的特性は、例えば、皮膚を正常な状態に回復し、そのバリア機能を改善する処置によって改善されることがある。バリア機能が改善されることによって、結果として、更に、環境的、物理的、化学的、又は生物学的損傷から皮膚が保護され、皮膚の健康が全体的に改善される。
【００１２】
ここで図１を参照すると、皮膚の湿分含量を測定する方法１０は、皮膚の湿分レベルを評価する目的で、受取り手又はユーザに情報を提供するための一連の工程を包含する。第１の工程２０では、皮膚湿分含量を測定する手段が提供される。皮膚湿分含量を測定する任意の好適な手段が使用されてもよい。例えば、皮膚湿分含量を測定する手段としては、高周波、赤外線、核磁気共鳴、機械的振動、皮膚の変形、イオン導入、トポロジー、摩擦、経皮水分損失（ＴＥＷＬ）、光学、及び熱放散のデバイスを挙げることができる。本発明にしたがって使用されてもよい、皮膚湿分を測定する様々な手段が、より詳細に以下に記載される。
【００１３】
高周波（ＲＦ）
ＲＦ源によって発生する電磁界は、水分子との非常に強い相互作用を有する。非常に僅かな湿分でも材料の誘電率に大きく影響する場合がある。この誘電率はＲＦ電界を使用して測定することができる。湿分レベルが高いほど、材料の誘電率は高くなる。
【００１４】
赤外線（ＩＲ）
赤外線は、赤色光をこえて延びる電磁スペクトルの範囲を指す。一実施形態では、デバイスは、湿分を吸収する波長、例えば、１２００ｎｍ、１４５０ｎｍ、及び１９４０ｎｍ）、或いは湿分を吸収しない波長、例えば基準波長（１３００ｎｍ）のどちらかで光を放出する。次に、波長は皮膚から反射されて、検出器によって測定される。吸収された光と参照光の比は湿分含量に比例する。
【００１５】
核磁気共鳴（ＮＭＲ）
これは、原子核がスピンを備え、したがって磁気モーメントを備えるときに現れる現象である。水素プロトンなどの原子核におけるこの現象によって、外部磁界に置かれたときに、原子核が特定の特徴的な周波数においてＲＦ源からエネルギーを吸収する。分子内における原子核の位置は、原子核の電子的環境に影響し、したがって吸収周波数に影響する。結果として得られるスペクトルにおいて観察される周波数差は、サンプルの分子構造、例えば皮膚の水分含量を規定する。
【００１６】
機械的振動
一実施形態では、デバイスは、機械的波動（音波を包含する広範囲にわたる周波数）を皮膚に適用し、次に反射して戻ってきた波動を感知する。波動の伝搬は皮膚の機械的性質に応じて変わる。皮膚の若さの弾性率は水和の機能に応じて変わることが、当該技術分野において既知である。皮膚の水和が増加するほど、値は低くなると共に波の散逸は大きくなり、したがって水和が増加した皮膚に対する反射値は低くなる。
【００１７】
皮膚の変形
一実施形態では、デバイスは皮膚の変形を測定する。皮膚の若さの弾性率は水和に応じて変わることが、当該技術分野において既知である。皮膚の水和が増加するほど、値は低くなる。皮膚を動かし、反力を監視することにより、水和又は湿分のレベルを判断することができる。
【００１８】
イオン導入
イオン導入とは、電流を用いて、ヒトの皮膚にイオンを導入すること、又は組織内のイオンを交換することである。皮膚は、電子抵抗器と同等の要素を有するものと考えることができる。皮膚の抵抗値はその水和レベルに大きく依存している。皮膚中の湿分が多いほど、抵抗は少なくなる。イオン導入を用いて、当業者であれば、皮膚（抵抗器）を通過するのに必要な電流の値を監視することができる。次に、この電流レベルを使用して、皮膚の水和又は湿分のレベルを判断することができる。
【００１９】
光学
一実施形態では、例えば５０倍の皮膚の拡大画像が撮像され、健康な皮膚の画像と比較される。乾燥した皮膚は、倍率を上げると、光を拡散する全体的に平坦な質感をもつように見えるが、健康な皮膚は、光沢があり、非常に明瞭な質感をもつように見える。
【００２０】
摩擦
皮膚が乾燥すると、その質感が失われてトポロジーが平坦になる。一般に、このことによって表面摩擦が増加する。健康な皮膚には逆のことが言える。結果として、摩擦感知デバイスは、表面摩擦を測定することによって、乾燥した皮膚と健康な皮膚を区別することができる。
【００２１】
経皮水分損失
経皮水分損失（ＴＥＷＬ）は、皮膚から蒸発している水分量の指標である。一実施形態では、デバイス、例えば水分蒸散計（VapoMeter）がＴＥＷＬ値を測定し提供することが可能である。
【００２２】
表面トポロジー
一実施形態では、表面トポロジーを、摩擦、光学、容量性センサ（capacitive based sensors）、及び／又は上述の方法の２つ若しくはそれ以上の組み合わせによって測定することができる。
【００２３】
熱放散
一実施形態では、デバイスは、熱パルスを皮膚に適用し、次に時間に応じて変わる温度放散を感知する。水は大きなヒートシンクである。水分含量が大きいほど、放散は迅速になる。放散プロファイルを調べることにより、皮膚の水和レベルを判断することができる。
【００２４】
第２の工程３０では、皮膚湿分含量を測定する手段を使用して、皮膚の少なくとも１つの測定湿分含量値が得られる。別の例では、皮膚の１超過の測定湿分含量値が得られる。各測定値が測定手段によって取得されると、好適な形で表示されるか、又は格納される。一例では、測定湿分含量値はＬＥＤ表示部に表示される。別の例では、測定湿分含量値はプログラム可能な集積回路に格納される。
【００２５】
第３の工程４０では、湿分含量値は皮膚湿分値に相関される。一実施形態では、測定手段は、ケーブルを介して、従来のＰＣ又はラップトップコンピュータなどの処理システムに電気的に結合される。別の実施形態では、測定手段はプログラム可能な集積回路に電気的に結合される。更に別の実施形態では、測定手段は無線でコンピュータに電気的に結合される。一例では、処理システムは、表Ｉに示されるように、周波数などの測定値を皮膚湿分値に変換するように操作可能である。
【００２６】
【表１】
2009508543.tif 000003
【００２７】
第４の工程５０では、皮膚湿分値を使用して、皮膚の健康が評価される。一実施形態では、皮膚湿分値は約０〜約９９であり、別の実施形態では約５〜約９５である。皮膚湿分値はまた、「健康」、即ち「Ｈ」、「中程度」、即ち「Ｍ」、及び「乾燥」、即ち「Ｄ」などの用語によって表されてもよいが、皮膚湿分レベルの量の増加又は減少を示すあらゆる語句又は番号付けされた尺度が本発明に使用されてもよい。
【００２８】
ＲＦに基づくデバイスを使用する方法の実施例
ＲＦデバイスを使用する本発明の方法の一実施例を以下に記載する。皮膚の湿分含量の測定は、皮膚上の少なくとも２つの領域、即ち環境と均衡している対照領域と試験領域に対して行われる。一例では、対照皮膚領域としては、顔、首、耳、腕、手、脚、足、腹、背中、及び鼠径部を挙げることができ、一方、試験領域としては、例えば、顔、首、胸、背中、腕、手、足、脚、及び頭皮を挙げることができる。ただし、試験領域上の様々な位置におけるいくつかのそのような測定値を生成することができる。一例では、デバイスは、試験領域における１以上の追加の測定湿分含量値を得るために使用される。一実施形態では、対照領域及び試験領域に関して得られる測定値は、約５ＭＨｚ未満の周波数を有し、別の実施形態では約２．４ＭＨｚ未満、また更に別の実施形態では約０．５ＭＨｚ未満の周波数を有する。
【００２９】
少なくとも２つの測定湿分含量値は、測定湿分含量差を得るため互いに比較される。例えば、対照領域の皮膚湿分含量値（ｍ１）が試験領域の皮膚湿分含量値（ｍ２）と比較されて、測定湿分含量差（ｍ２−ｍ１）又は（ｍ１−ｍ２）が得られる。一実施形態では、測定デバイスは、ケーブルを介して、従来のＰＣ又はラップトップコンピュータなどの処理システムに電気的に結合される。別の実施形態では、測定デバイスはプログラム可能な集積回路に電気的に結合される。更に別の実施形態では、測定デバイスは無線でコンピュータに電気的に結合される。処理システムは、測定デバイスによって生成された測定湿分含量値を測定湿分含量差に変換するように操作可能である。別の実施形態では、測定湿分含量差は、式（ｍ２−ｍ１）又は（ｍ１−ｍ２）を使用して手動で決定することが可能である。
【００３０】
追加の試験領域皮膚湿分値が得られた場合、それらの値は全て互いに比較され、次に、測定湿分含量差プロファイルを得るため、最も値が大きい、最も値が小さい、又は平均の測定値が、対象領域の皮膚湿分含量値と比較される。一実施形態では、約０ＭＨｚ〜約０．０５ＭＨｚの測定値差は健康な皮膚状態（高湿分レベル）を表し、約０．０５ＭＨｚ〜約０．５ＭＨｚの測定値差は中程度の皮膚状態（中間湿分レベル）を表し、約０．５ＭＨｚを超える測定値差は不健康な皮膚状態（低湿分レベル）を表す。別の実施形態では、対照領域と試験領域は同一の場合がある。例えば、湿分含量の測定は対照領域で行われる。次に、ある期間経過させ、その間に、対照領域に皮膚又は頭皮処置剤を用いて処置を施してもよい。その後、対照領域において第２の測定を行う。次に、測定湿分含量差を得るため、２つの測定湿分含量値を互いに比較する。実際上、第２の測定に関する対照領域と試験領域は同一である。
【００３１】
別の態様では、本発明は、更に、皮膚湿分値を使用して少なくとも１つの適切な皮膚処置を選択することに関する。本明細書で使用する時、「適切な皮膚処置」は、消費者が求める物理的又は美容的特性を皮膚に提供する、或いは皮膚のそれらの特性を回復する化学組成物又は非化学的処置である。代表的な皮膚処置化学組成物としては、ローション、クリーム、ゲル、トニック、アフターシェーブ、スティック、スプレー、軟膏、ペースト、粉末、ムース、シャンプー、コンディショナー、オイル、着色剤、並びに生物医学的及び皮膚科学的処置剤の形態の、美容ケア製品、ヘルスケア製品、化粧品、乳児用ケア製品、婦人用ケア製品、及びペット用ケア製品を挙げることができるが、それらに限定されない。
【００３２】
生物医学的及び皮膚科学的処置の非限定例としては、処方スキンケア処置、レーザー治療、ケミカルピール、皮膚剥離、電気刺激、ボトックス治療、外科的治療、並びに角質除去用（exfoliating）パッド及び布が挙げられる。
【００３３】
代表的な非化学的処置としては、剃毛及び脱毛を挙げることができるが、それらに限定されない。
【００３４】
別の実施形態では、消費者の頭皮の健康を測定する方法は、頭皮の湿分レベルを評価する目的で、受取り手又はユーザに情報を提供するための一連の工程を含む。第１の工程では、頭皮湿分含量を測定するデバイス、例えば高周波デバイスが提供される。一実施形態では、皮膚から得られる測定値は、約０ＭＨｚ〜５Ｍｈｚの周波数を有し、別の実施形態では約１ＭＨｚ〜約３ＭＨｚ、また更に別の実施形態では約１．５ＭＨｚ〜約２．５ＭＨｚの周波数を有する。
【００３５】
第２の工程では、デバイスを使用して、頭皮の少なくとも１つの測定湿分含量値が得られる。第３の工程では、皮膚湿分値に関する上述と同様のやり方で、湿分含量値が頭皮の頭皮湿分値に相関される。第４の工程では、頭皮湿分値を使用して、頭皮の健康状態が評価される。一実施形態では、頭皮湿分値は約０〜約９９であり、別の実施形態では約５〜約９５である。頭皮湿分値はまた、「健康」、即ち「Ｈ」、「中程度」、即ち「Ｍ」、及び「乾燥」、即ち「Ｄ」などの用語によって表されてもよいが、頭皮湿分レベルの量の増加又は減少を示すあらゆる語句又は番号付けされた尺度が本発明に使用され得る。
【００３６】
本発明の別の態様では、本発明の方法は頭皮に処置を施す方法であって、（ａ）上述の方法にしたがって前記頭皮の湿分含量を測定する工程、（ｂ）該頭皮湿分値を使用して、少なくとも１つの適切な頭皮処置剤を選択する工程、及び（ｃ）該適切な頭皮処置剤を頭皮に適用する工程、を含む処置方法。本明細書で使用する時、「適切な頭皮処置剤」は、消費者が求める物理的又は美容的特性を頭皮に提供する、或いは頭皮のそれらの特性を回復する処置剤である。代表的な頭皮処置剤としては、シャンプー、コンディショナー、オイル、着色剤、及びスタイリング組成物を挙げることができるが、それらに限定されない。
【００３７】
本発明の別の実施形態では、本発明の方法は、頭皮上のふけ状態を測定する方法であって、（ａ）頭皮湿分含量を測定する手段を提供する工程、（ｂ）該手段を使用して、消費者の頭部から少なくとも１つの測定湿分含量値を得る工程、（ｃ）該測定湿分含量値をふけ状態指示値に相関させる工程、及び（ｄ）該ふけ状態指示値を使用して、該消費者の頭皮上のふけの程度を評価する工程、を含む方法。一例では、ふけ状態としては、例えば、フレーク、乾燥、引きつれ、かゆみ、及び発赤／炎症を挙げることができる。一実施形態では、ふけ状態指示値は約０〜約９９であり、別の実施形態では約５〜約９５である。ふけ状態指示値はまた、「健康」、即ち「Ｈ」、「中程度」、即ち「Ｍ」、及び「乾燥」、即ち「Ｄ」などの用語によって表されてもよいが、頭皮湿分レベルの量の増加又は減少を示すあらゆる語句又は番号付けされた尺度が本発明に使用されてもよい。
【００３８】
別の実施形態では、皮膚の湿分含量の測定以外の生物マーカーが、皮膚の健康、並びに更には頭皮の健康の予測子の役割を果たしてもよい。そのような生物マーカーの非限定例としては、タンパク質、脂質、抗体、微生物、ｐＨ、及びイオン強度を挙げることができる。
【００３９】
「発明を実施するための最良の形態」で引用された全ての文献は、関連部分において参考として本明細書に組み込まれるが、いずれの文献の引用も、それが本発明に対する先行技術であることを容認するものと解釈されるべきではない。
【００４０】
本発明の特定の実施形態を例示し説明してきたが、本発明の趣旨及び範囲から逸脱することなく、他の様々な変更及び修正を実施できることが当業者には明白であろう。したがって、本発明の範囲内にあるそのようなすべての変更及び修正を添付の特許請求の範囲で扱うものとする。
【００４１】
本明細書は、本発明を特定して指摘し明確に請求する特許請求の範囲をもって結論とするが、本発明は、以下の説明を添付図面と併せ読むことによって更に良く理解されるものと考えられる。
【図面の簡単な説明】
【００４２】
【図１】本発明の一実施形態におけるプロセスのフローチャート。
【図１】
2009508543.tif 000004
【国際調査報告】
2009508543.tif 000005
2009508543.tif 000006
2009508543.tif 000007